(57)【要約】【課題】本発明の目的は、空気調和機、特に天井据付タイプの室内機を有する空気調和機のフィルタを簡単に清掃するための清掃機構を提供することである。【解決手段】本発明の空気調和機の清掃機構は、空気調和機の室内機の吸い込み口に設けたフィルタと、前記フィルタを覆い、前記吸い込み口に固定するカバー部材と、前記フィルタと前記カバー部材との間に設けられた掃除ノズルと、を備えた空気調和機の清掃機構であって、前記掃除ノズルがフィルタ側に吸い込み口を、反対側に真空源の接続口を有し、前記吸い込み口と前記差し込み口との間に前記吸い込み口を中心として回転自在な連結部を備え、前記掃除ノズルを回転させるための駆動機構を備えていることを特徴とする。【選択図】図１
2009092273.tif 000002
【特許請求の範囲】
【請求項１】
空気調和機の室内機の吸い込み口に設けたフィルタと、
前記フィルタを覆い、前記吸い込み口に固定するカバー部材と、
前記フィルタと前記カバー部材との間に設けられた掃除ノズルと、を備えた空気調和機の清掃機構であって、
前記掃除ノズルがフィルタ側に吸い込み口を、反対側に真空源との接続口を有し、
前記吸い込み口と前記差し込み口との間に前記吸い込み口を中心として回転自在な連結部を備え、
前記掃除ノズルを回転させるための駆動機構を備えていることを特徴とする清掃機構。
【請求項２】
前記駆動機構は、
前記掃除ノズルと一体に連結された一のプーリーと、
モータに連結された他のプーリーと、
前記一のプーリー及び前記他のプーリーとの間で動力を伝達する駆動ベルトと、を備えていることを特徴とする請求項１に記載の清掃機構。
【請求項３】
前記連結部は、前記一のプーリーと一体に回転する内輪と、前記カバー部材に支持された外輪とを有するベアリングであることを特徴とする請求項１又は請求項２に記載の清掃機構。
【請求項４】
前記掃除ノズルの前記吸い込み口が、フィルタの幅の略半分の幅を有していることを特徴とする請求項１から請求項３のいずれか１項に記載の清掃機構。
【請求項５】
前記掃除ノズルの前記吸い込み口が、フィルタ表面をブラッシングするブラシを備えることを特徴とする請求項１から請求項４に記載の清掃機構。
【請求項６】
前記接続口が、掃除機の吸い込み管路に接続されることを特徴とする請求項１から請求項５に記載の清掃機構。
【発明の詳細な説明】
【技術分野】
【０００１】
本発明は、空気調和機の清掃機構に関し、特に天井据付タイプの室内機を有する空気調和機の清掃機構に関する。
【背景技術】
【０００２】
空気調和機の空気流通路には、流体に含まれるダスト等を除去して空気の清浄性を維持し、且つ、空気調和系の各種要素（ファン、圧縮機、熱交換器等）へのダストの付着を防止するため、流路中に流路と交差する向きにフィルタを設けることが行われている。
この種のフィルタはその機能上、使用するに従ってダスト等の付着、堆積することが避けられない。このようなダストの堆積は、いわゆるフィルタの目詰まりとして認識されるものであり、空気調和機の室内機において、フィルタの目詰まりは、解決すべき重要な課題である。フィルタが徐々に目詰まりを起こすことにより、熱交換器を通過する風量が低下してしまう。その結果として、ファンの駆動モータの負荷の増加を引き起こす。さらに、フィルタの目詰まりが進むと、ファンの故障を引き起こすこともある。
【０００３】
このフィルタの目詰まりが発生する原因として、使用者の清掃頻度、つまりメンテナンス頻度の少なさが挙げられる。清掃頻度が少ない理由として、フィルタ掃除の困難さがある。フィルタを掃除するためには、一度カバー部材を開け、そこからフィルタを取り外し、掃除機等でフィルタに付着しているダスト等を吸い取らなければならない。さらに、長期間清掃を行っていないフィルタは、ダスト等が強力に付着してしまっているので、洗剤等を用いて水洗いをしなければならない。
【０００４】
また、オフィス等で使用されている室内機が天井据付タイプである空気調和機は、家庭用の空気調和機と異なり、設置箇所である天井が高いため、清掃を行う際に危険が伴う。また、室内機の設置箇所の真下にはデスク等の障害物があることが多い。そのため、清掃を行うには危険が伴い、且つ清掃作業が困難な箇所が出現し、清掃に手間と時間とを要してしまう。また、清掃者が清掃中に上向きの無理な姿勢を維持しなければならず、清掃中にダスト等の落下により設置箇所の作業環境が悪化する可能性がある。このような理由のため、掃除の頻度はより減少してしまっている。
【０００５】
そこで、家庭用空気調和機には、特許文献１に示すように自動掃除機能を備えているものが開発されている。しかし、オフィス等で見かける天井据付タイプの空気調和機では、そのような清掃機構を有する空気調和機はなかった。
【特許文献１】特開２００３−１７１９０２号公報
【発明の開示】
【発明が解決しようとする課題】
【０００６】
本願発明は、空気調和機、特に天井据付タイプの室内機を有する空気調和機のフィルタを簡単に清掃するための清掃機構を提供する。
【課題を解決するための手段】
【０００７】
本発明は、空気調和機の室内機の吸い込み口に設けたフィルタと、前記フィルタを覆い、前記吸い込み口に固定するカバー部材と、前記フィルタと前記カバー部材との間に設けられた掃除ノズルと、を備えた空気調和機の清掃機構であって、前記掃除ノズルがフィルタ側に吸い込み口を、反対側に真空源との接続口を有し、前記吸い込み口と前記差し込み口との間に前記吸い込み口を中心として回転自在な連結部を備え、前記掃除ノズルを回転させるための駆動機構を備えていることを特徴とする。
【０００８】
前記駆動機構は、前記掃除ノズルと一体に連結された一のプーリーと、モータに連結された他のプーリーと、前記一のプーリー及び前記他のプーリーとの間で動力を伝達する駆動ベルトと、を備えていてもよい。
【０００９】
前記連結部は、前記一のプーリーと一体に回転する内輪と、前記カバー部材に支持された外輪とを有するベアリングであってもよい。
【００１０】
前記掃除ノズルの前記吸い込み口が、フィルタの幅の略半分の幅を有していてもよい。
【００１１】
前記掃除ノズルの前記吸い込み口が、フィルタ表面をブラッシングするためのブラシを備えてもよい。
【００１２】
前記差込口が、掃除機の吸い込み管路に接続されてもよい。
【発明の効果】
【００１３】
本発明の効果として、天井据付タイプの空気調和機の掃除を容易にする。
【００１４】
さらに、本発明の効果として、清掃者が上向きの無理な姿勢で清掃作業をする必要がなく、さらに作業環境の悪化を防ぐ。
【発明を実施するための最良の形態】
【００１５】
図１は、本発明の一実施形態の分解斜視図を示し、図２は、本願発明の一実施形態の組立状態における断面図を示す。天井据付タイプの空気調和機の室内機は、図１及び図２に示すように、室内機の吸い込み口（図示せず）側にフィルタ１０を備え、室内機の吸い込み口及びフィルタ１０を覆うようにカバー部材２０を備えている。フィルタ１０とカバー部材２０との間には、掃除ノズル３０及び駆動機構５０が備えられている。
【００１６】
フィルタ１０は、空気調和系の各種要素（ファン、圧縮機、熱交換器等）へのダスト等の付着を防止するフィルタ本体１４と、前記フィルタ本体１４を支持するための枠部材１２と、を有しており、空気調和機の吸い込み口（図示せず）を覆うように配置されている。
【００１７】
カバー部材２０は、開口部２４及び複数の通気孔２２を備え、フィルタ１０と平行な平面に設けられている。開口部２４は、アッパーカバー４４を挿入できるようにカバー部材２０の略中央部に設けられている。
【００１８】
掃除ノズル３０は、少なくともフィルタ１０の幅の半分の長さを有する中空の箱状をなしている。掃除ノズル３０は、フィルタ１０側に吸い込み口３４を備え、反対側に掃除機用差込口３２を備えている。吸い込み口３４は、フィルタ１０に向けられているように設けられている。吸い込み口３４は、フィルタ１０に付着しているダスト等をブラッシングするためのブラシ３６をさらに備えている。
【００１９】
ブラシ３６は、フィルタ１０と略垂直に交わる方向に向かってブラシの長さＬ１を有している。吸い込み口３４と反対側の掃除ノズル３０の一端には、センターパイプ４０が設けられている。このセンターパイプ４０は、駆動機構５０からの動力を伝達するための第１のプーリー３８を備えている。
【００２０】
また、センターパイプ４０は、このセンターパイプ４０と軸線を共通にするラジアル軸受４２を備え、センターパイプ４０は前記ラジアル軸受４２の内輪と連結されている。前記ラジアル軸受け４２の外輪は、アッパーカバー４４に支持されている。このアッパーカバー４４は、フィルタ部材２０に第１のアンダーカバー４６と共にボルトで固定されている。この第１のアンダーカバー４６は、駆動装置５０への電源の供給を断続するためのリミットスイッチ６２を備えている。この第１のアンダーカバー４６には、第２のアンダーカバー４８がボルトで固定されている。
【００２１】
前記センターパイプ４０は、掃除機用差込口３２に連通するように接続されている。センターパイプ４０の内径と掃除機用差込口３２との間には、僅かな隙間が存在している。この隙間によって、空気の漏れを最小限にとどめ、且つ掃除機用差込口３２の上下方向への移動を可能にし、さらに駆動機構５０による掃除機用差込口３２を中心とした回転を可能にする。この掃除機用差込口３２の外周には、フランジ部３３が設けられており、このフランジ部３３が第１のアンダーカバー４６に接することによって上方への移動が規制される一方、第２のアンダーカバー４８に接することによって下方への移動が規制される。
【００２２】
駆動機構５０は、モータ５２、モーターブラケット５４、第２のプーリー５６、及びプーリーベルト５８を備えている。モーターブラケット５４は、前記カバー部材２０にボルトで連結され、前記モーターブラケット５４とカバー部材２０との間にモータ５２を取り付けている。前記モータ５２の回転軸は、前記モーターブラケット５４の開口部から突出しており、第２のプーリー５６の中心部に連結されている。第２のプーリー５６と第１のプーリー３８とは、モータ５２の駆動力を掃除ノズル３０に伝達するためのベルト５８で連結されている。さらに、駆動機構５０は、モータ５２を制御するための制御ユニット６０を備えており、この制御ユニット６０は、モータ５２、リミットスイッチ６２、及び外部電源（図示せず）と電気的に接続されている。
【００２３】
次に、使用時の動作と共に作用について説明する。通常状態では、図２に示されるように、フランジ部３３が第２のアンダーカバー４８上に支持されている。次に、使用者（図示せず）が掃除機用差込口３２に掃除機の管路６４、例えば柄（図示せず）又はホース（図示せず）を接続すると、図２に示されるように、掃除機用差込口３２がフィルタ２０に対して相対的に持ち上がり、掃除機用差込口３２に設けられたフランジ部３３が第１のアンダーカバー４６に接する（図２の鎖線のフランジ部３３を参照）。そのため、フランジ部３３がリミットスイッチ６２に接触してオンになる。リミットスイッチ６２がオンになることで、駆動機構５０のモータ５２に外部電源（図示せず）から電力が供給される。電力がモータ５２に供給されると、モータ５２の回転軸が回転し始め、このモータ５２の回転軸の回転によって第２のプーリー５６が一体に回転する。第２のプーリー５６の回転力がプーリーベルト５８を介して、第１のプーリー３８へと伝達される。この第１のプーリー３８に伝達された駆動力により、第１のプーリーと一体にセンターパイプ４０が回転する。この回転によって、掃除ノズル３０は、ラジアル軸受４２によりカバー部材３０及びフィルタ１０に対して時計回り又は反時計回りの一定方向（図２の方向Ａ）に沿って回転する。この結果、掃除ノズル３０は、カバー部材３０の開口部２４の略中心を中心としてフィルタ１０全体をブラッシングすることが可能となる。
【００２４】
掃除ノズル３０とフィルタ１０との間の距離Ｌ２よりもブラシ３６の長さＬ１のほうが長いために、ブラシ３６は、弾性変形状態でフィルタ１０と接触している。そのため、フィルタ１０に付着したダスト等をブラッシングすることが可能となる。掃き出されたダスト等は、掃除機差込口３２に接続された掃除機からの作用する真空圧によって、掃除ノズル３０の吸い込み口３４に吸い込まれ、掃除機用差込口３２に接続された掃除機内に集められる。その結果、使用者（図示せず）が掃除機（図示せず）等を用いて容易にフィルタ部材１０に付着したダスト等を取り除くことができるので、フィルタ部材１０は常に清潔に保たれることができる。
【００２５】
なお、連結部４２として、他の形式のベアリングを採用してもよい。また、駆動機構５０として、他の動力伝達機構により、モータ５２の動力を掃除ノズル３０へ伝達してもよい。
【図面の簡単な説明】
【００２６】
【図１】本願発明の一実施形態の分解斜視図である。
【図２】本願発明の一実施形態の組立状態における断面図である。
【符号の説明】
【００２７】
１０  フィルタ
１２  枠部材
１４  フィルタ本体
２０  カバー部材
２２  通気孔
２４  開口部
３０  掃除ノズル
３２  掃除機差込口
３３  フランジ部
３４  吸い込み口
３６  ブラシ
３８  第１のプーリー
４０  センターパイプ
４２  ラジアル軸受
４４  アッパーカバー
４６  第１のアンダーカバー
４８  第２のアンダーカバー
５０  駆動機構
５２  モータ
５４  モーターブラケット
５６  第２のプーリー
５８  プーリーベルト
６０  制御ユニット
６２  リミットスイッチ
６４  掃除機の管路
Ａ  回転方向
Ｌ１  ブラシ長さ
Ｌ２  フィルタ１０と掃除ノズル３０との間の距離
【図１】
2009092273.tif 000003
【図２】
2009092273.tif 000004